(57)【要約】【課題】扉と加熱庫の開口のドアーキー側縦方向をシールする構成とし、運転中に加熱庫からの油煙やほこりがドアーキー孔から吸引されるのを防止することを目的としている。【解決手段】被加熱物３９を収納して加熱する加熱庫３０に装着された回転自在に開閉する扉２５のドアーキー側縦方向のドアーＥ３３とドアーＣ３４の隙間にガスケット４１を装着し、扉２５のドアーＥ３３面と加熱庫３０のドアー板３７の間に食品等が挟まり隙間が生じた場合においても扉２５に装着されたガスケット４１によって加熱庫３０からの熱気や油煙が遮断され、ドアーキー孔３８からの油煙の流入を防止することで機械室側のスイッチ類が汚れによって生じる動作不良から保護する構成とした。【選択図】図１
2006349197.tif 000002
【特許請求の範囲】
【請求項１】
被加熱物を収納して加熱する加熱庫と、前記加熱庫の開口面に片端を支点として回動保持された扉と、前記扉の回動支点の反対側に設けたドアーキーと、前記加熱庫の外周前面に設け前記ドアーキーが挿入されるドアーキー孔と、装置本体内に内装され前記ドアーキーにより操作されるドアスイッチと、装置本体内部を冷却するため前面から外気を吸引する冷却ファンとを備え、前記加熱庫の開口面とドアーキー孔との間に位置するように扉側に設けられたガスケットにより、扉が閉じた際に生じる加熱庫との隙間をシールする構成を特徴とした電熱装置付高周波加熱装置。
【請求項２】
ガスケットは、ドアーキー側にのみ略直線状に設けられたことを特徴とした請求項１に記載の電熱装置付高周波加熱装置。
【請求項３】
ガスケットの両端が扉に設けられた開口部により扉の中に納まる構成を特徴とした請求項１に記載の電熱装置付高周波加熱装置。
【発明の詳細な説明】
【技術分野】
【０００１】
本発明は、電熱装置付高周波加熱装置の扉に装着されたガスケットの取り付け構成に関するものである。
【背景技術】
【０００２】
従来、この種の電熱装置付高周波加熱装置の冷却構成としては、機械室の前面下部に配置した冷却ファンにより装置本体の前面下部に設けた吸気孔から空気を導入して、機械室内部の制御機器を冷やしたり、ダクトを使って空気分流し高周波発生装置を冷やす構成があった（例えば、特許文献１参照）。
【０００３】
また、他の方式として、機械室の後方位置に冷却ファンが固定され、冷却ファンによって加熱庫の下に設けられた吸気孔より外気が吸引され、吸引された外気は機械室の各部品を冷却しながら冷却ファンに吸引され、次に高周波発振器を冷却するエアーガイドに送られる構成がある。また、外気を吸引するための吸気孔には外からのごみや油、虫などの侵入を防止又は軽減するための吸気フィルターが装着される構成のものが知られている。
【０００４】
図７は、前記従来の電熱装置付高周波加熱装置の斜視図で、ボデー７の一部を切り取り機械室の内部を示している。図に示すように、機械室８の後方位置に設けられた冷却ファン１により、機械室８内を冷却するための外気が底板４の前面に設けた吸気フィルター３を介して吸引される。吸引された空気により、機械室８に装着された高電圧を発生させるための高圧トランス９や、その他、機械室の各部に配置された部品が冷却される構成となっている。又、冷却ファン１に吸引された外気はエアーガイド５に吐き出され、高周波発振器６のアノードブロックを冷却する構成としていた。
【０００５】
また、扉の開閉に連動して入り切りされるドアースイッチが内蔵されている（例えば、特許文献２参照）。
【０００６】
図８は、電熱装置付高周波加熱装置の扉２を開けた状態の正面図で  高周波加熱装置のコントロールを制御操作するためのコントロールパネル１９が装着されている。加熱庫１０の上下には扉２を軸固定するためのヒンジ１１が固定され、扉２の外面に設けられたハンドル１５の前後操作によって扉２が回動する構成となっている。
【０００７】
扉２はドアーＥ１２が加熱庫１０の開口面を閉じる構成で、ドアーＣ１３が樹脂成型品で形成されている。ドアーＣ１３の内部には電波をシールするチョーク（図示せず）が形成されドアーＣ１３によってカバーする構成となっている。
【０００８】
又、扉２の開閉によってスイッチを動作させるドアーキーＡ１４とドアーキーＢ１６がドアーＣ１３内部のバネによって上下稼動し、扉２を閉じると加熱庫１０の前面のドアー板１８に設けられた、ドアーキー孔１７に収納され扉２のドアーＥ１２面と加熱庫１０の前面のドアー板１８が密着し且つ機械室側のスイッチを動作させる構成となっている。
【０００９】
更に加熱庫１０の内部には被加熱物１９を乗せる金属製のスノコアミ２０が出し入れ自在に収納できる構成となっている。
【特許文献１】特開平６−８２０４６号公報
【特許文献２】特開平１１−１８２８５３号公報
【発明の開示】
【発明が解決しようとする課題】
【００１０】
しかしながら、前記従来の構成では、冷却ファン１によって外気を吸引する際には加熱庫１０の前面のドアー板１８に設けられたドアーキー孔１７からも外気を吸引しようとする作用が働く。これは、機械室８とドアーキー孔１７とが連通しており、しかも、冷却ファンは大きな吸い込み力を有しているため、冷却のための外気の導入が吸気フィルター３の部分からだけでなく、あらゆる隙間から行われるためである。
【００１１】
その為、特に、ドアー板１８と扉２のドアーＥ１２面とに隙間が発生した際には加熱庫１０内で加熱調理した際に発生する油煙が、ドアーキー孔１７から機械室に吸引されることになり、ドアーキー孔１７の機械室側に設けられたドアーキーＡ１４及びドアーキーＢ１６と連動して動作するスイッチ類に油煙やほこりが付着し性能的不具合を発生させることがあった。
【００１２】
更に、扉２の下の吸気フィルター３が、ほこりや油煙によって目詰まりすると機械室の後方に設けられた冷却ファン１によって吸引する外気の進入する開口面積が小さくなりその結果、ドアーキー孔１７からの吸引力が上昇し、更にスイッチ類の汚れにつながるといった不具合もあった。
【００１３】
又、実際の使用においても加熱庫１０の前面のドアー板１８と扉２のドアーＥ１２の面との間に食品が挟まれた状態は十分ありえることで、使用状態によっては加熱庫からの油煙が大量にドアーキー孔１７へ吸引されるという課題があった。
【００１４】
本発明は、前記従来の課題を解決するもので、扉２のドアーＥ１２とドアー板１８をシールする構成とし、運転中に加熱庫１０からの油煙やほこりがドアーキー孔１７から吸引されるのを防止することを目的とし、耐久性の優れた電熱装置付高周波加熱装置を提供することを目的とする。
【課題を解決するための手段】
【００１５】
前記従来の課題を解決するために、本発明の電熱装置付高周波加熱装置は被加熱物を収納して加熱する加熱庫に装着された回動自在に開閉する扉のドアーキー側縦方向のドアーＥとドアーＣの隙間にガスケットを装着し、扉のドアーＥ面と加熱庫のドアー板の間に食品等が挟まり隙間が生じた場合においても扉に装着されたガスケットによって加熱庫からの熱気や油煙が遮断され、ドアーキー孔からの油煙の流入を防止することで機械室側のスイッチ類が汚れによって生じる動作不良から保護する構成とした。
【発明の効果】
【００１６】
本発明の電熱装置付高周波加熱装置は、扉のドアー面と加熱庫のドアー板の間に食品等が挟まり隙間が生じた場合においても、扉に装着されたガスケットによって加熱庫からの熱気や油煙が遮断され、ドアーキー孔からの油煙の流入を防止することで機械室側のスイッチ類が汚れによって生じる動作不良を防止できる。
【発明を実施するための最良の形態】
【００１７】
第１の発明は、被加熱物を収納して加熱する加熱庫と、前記加熱庫の開口面に片端を支点として回動保持された扉と、前記扉の回動支点の反対側に設けたドアーキーと、前記加熱庫の外周前面に設け前記ドアーキーが挿入されるドアーキー孔と、装置本体内に内装され前記ドアーキーにより操作されるドアスイッチと、装置本体内部を冷却するため前面から外気を吸引する冷却ファンとを備え、前記加熱庫の開口面とドアーキー孔との間に位置するように扉側に設けられたガスケットにより、扉が閉じた際に生じる加熱庫との隙間をシールする構成としたもので、扉のドアー面と加熱庫のドアー板の間に食品等が挟まり隙間が生じた場合においても、扉に装着されたガスケットによって加熱庫からの熱気や油煙
が遮断され、ドアーキー孔からの油煙の流入を防止することで機械室側のスイッチ類が汚れによって生じる動作不良を防止できる。
【００１８】
第２の発明は、特に、第１の発明のガスケットを、ドアーキー側にのみ略直線状に設けられたことを特徴とするもので、必要な部分のみにガスケットを装着することで安価に構成でき、しかも、回動の支点と反対側のみに装着することにより、小さな接圧で確実にシールすることができる。
【００１９】
第３の発明は、特に、第２の発明のガスケットの両端が扉に設けられた開口部により扉の中に納まる構成としたもので、実使用におけるガスケットの破損を防止する構成とした。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における電熱装置付高周波加熱装置の斜視図を示すものである。
【００２２】
図１においては、電熱装置付高周波加熱装置の斜視図でボデーの一部を切り取り機械室の内部を示した図で、機械室２１の後方位置に設けられた冷却ファン２２により、機械室２１内を冷却するための外気が吸引される。機械室２１に装着された高電圧を発生させるための高圧トランス２３がソコイタ２４に固定保持され、扉２５下部に装着された吸気フィルター２６より吸引された外気が高圧トランス２３を通過し冷却ファン２２に吸引されることによって機械室２１の各部に配置された部品が冷却される構成とした。又、冷却ファン２２に吸引された外気はエアーガイド２７に吐き出され高周波発振器２８のアノードブロックを冷却する構成としている。      
【００２３】
図２は、電熱装置付高周波加熱装置の扉２５を開けた状態の正面図で、加熱装置のコントロールを制御操作するためのコントロールパネル２９が装着されている。加熱庫３０の上下には扉２５を軸固定するためのヒンジ３１が固定され、扉２５の外面に設けられたハンドル３２の前後操作によって扉２５が回転稼動する構成としている。
【００２４】
扉２５はドアーＥ３３が加熱庫３０の開口面を閉じる構成で、ドアーＣ３４が樹脂成型品で形成されている。ドアーＣ３４の内部には電波をシールするチョークが形成されドアーＣ３４によってカバーする構成とした。
【００２５】
又、扉２５の開閉によってスイッチを動作させるドアーキーＡ３５とドアーキーＢ３６がドアーＣ３４内部のバネによって上下稼動し、扉２５を閉じると加熱庫３０の前面のドアー板３７に設けられた、ドアーキー孔３８に収納され扉２５のドアーＥ３３の面と加熱庫３０の前面のドアー板３７が密着し且つ機械室側のスイッチ（図示せず）を動作させる構成としている。
【００２６】
更に、加熱庫３０の内部には被加熱物３９を乗せる金属製のスノコアミ４０が出し入れ自在に収納できる構成である。更に扉２５のドアーキーＡ３５側縦方向のドアーＥ３３とドアーＣ３４の間にはガスケット４１が上下のコーナー部まで装着されている。
【００２７】
次に、ガスケット４１の装着構成について図３〜６を用いて説明する。
図３はドアーＣ３４のガスケット４１の装着部を示しコーナー部２箇所に切り込み４２が形成されている。また  ガスケット４１の装着部分であるドアーＣは  リブ形状４３とし
ている。
【００２８】
図４は扉２５にガスケット４１を装着した状態を示し、ガスケット４１の装着状態が見えるようにドアーＥ３３を外した状態を示している。これによるとドアーＣ３４のリブ形状４３のドアーキーＡ３５側縦方向面及びコーナー部にガスケット４１が装着されている。更にガスケット４１の両端の先端部分はドアーＣ３４の切り込み４２に収納される構成とした。
【００２９】
図５は扉２５完成状態のガスケット４１の装着状態を示している。この構成によると扉２５のドアーＥ３３とドアーＣ３４の隙間に装着されたガスケット４１の上下の端面４６は外に出ることなくドアーＣ３４の中に挿入された状態となる。
【００３０】
図６はドアーＣ３４と装着されたガスケット４１の断面矢視図である。この構成によるとドアーＣ３４に設けられたリブ４３に勘合しガスケット４１が装着されガスケット４１の鍵部４４によって抜けない構成としている。更にガスケット４１のパイプ部分は空洞４５としておりガスケット４１はドアーＥ３３の面より約２ｍｍ出る構成とした。これによりドアーＥ３３が加熱庫３０の前面ドアー板３７と密着する際に圧接され密着することになる。
【００３１】
以上のように本実施の形態によると加熱庫３０の前面ドアー板３７と密着する構成からなる扉２５のドアーＥ３３のドアーキーＡ３５側縦方向にガスケット４１が装着されることにより加熱庫３０から発生する食品からの油煙がドアー板３７のドアーキー孔３８から吸引されることを防止できる。
【００３２】
更にガスケット４１の範囲がドアーキーＡ３５の縦方向のみであるので扉２５の密着性に対する不具合は無い。
【００３３】
またガスケット４１が装着された場合電波漏洩レベルが上昇する一般的に知られた事実であるが本実施例の場合ドアーキーＡ３５側のみにガスケット４１を装着するため電波漏洩への影響がほとんど無い。
【００３４】
更に実使用においてもガスケット４１の上下の先端部分はドアーＣ３４の内部に挿入された構成のため外部からの力による破損が軽減できる。
【００３５】
以上のように、本実施例においては扉２５と加熱庫３０が密着する扉２５の縦方向のみにガスケット４１を装着する構成により加熱庫３０からの油煙がドアーキー孔３８より機械室へ吸引されるといった品質的不具合を防止できコスト的にも安価に構成できる。
【産業上の利用可能性】
【００３６】
以上のように、本発明にかかる電熱装置付高周波加熱装置は、扉への一部分のガスケット取り付け構成により機械室への油煙等の汚れの侵入を防ぐことが可能となる。
【図面の簡単な説明】
【００３７】
【図１】本発明の実施の形態１における電熱装置付高周波加熱装置の斜視図
【図２】本発明の実施の形態１における電熱装置付高周波加熱装置の扉を開けた正面図
【図３】本発明の実施の形態１における扉構成部品の部分斜視図
【図４】本発明の実施の形態１における扉部分斜視図
【図５】本発明の実施の形態１における扉の部分斜視図
【図６】本発明の実施の形態１における扉の断面図
【図７】従来の電熱装置付高周波加熱装置の斜視図
【図８】従来の電熱装置付高周波加熱装置の扉を開けた正面図
【符号の説明】
【００３８】
２２  冷却ファン
２５  扉
３０  加熱庫
３５、３６  ドアーキー
３８  ドアーキー孔
４１  ガスケット
【図３】
2006349197.tif 000003
【図４】
2006349197.tif 000004
【図５】
2006349197.tif 000005
【図６】
2006349197.tif 000006
【図１】
2006349197.tif 000007
【図２】
2006349197.tif 000008
【図７】
2006349197.tif 000009
【図８】
2006349197.tif 000010